(57)【要約】【課題】商品の出し入れに支障なく、商品陳列器具の全高を可及的に小さくすることを目的とする商品陳列フック用カードホルダー及び商品陳列器具の提供。また、カードホルダーに力を加えていない時にはカード保持具が取付け当初の状態に戻る商品陳列フック用カードホルダーおよび商品陳列器具の提供。【解決手段】一端を前記カードレールに取付けるための支持具とし、他端に該支持具の下辺より下端を突出させたカード保持具を、弾性部材を用いて前記支持具に上下揺動可能に取付けたことを特徴とする商品陳列フック用カードホルダー及びそれを具備した商品陳列器具を提供する。【選択図】図１
0003134531.tif 000002
【実用新案登録請求の範囲】
【請求項１】
商品陳列フック用カードレールの先端部に取付けるカードホルダーにおいて、該カードホルダーは、一端を前記カードレールに取付けるための支持具とし、他端に該支持具の下辺より下端を突出させたカード保持具を、弾性部材を用いて前記支持具に上下揺動可能に取付けたことを特徴とする商品陳列フック用カードホルダー。
【請求項２】
請求項１記載のカード保持具を、弾性部材に取付けられたベース板と透明カバーとを組み合わせて構成したことを特徴とする商品陳列フック用カードホルダー。
【請求項３】
請求項１又は２記載のカードホルダーを商品陳列フック用カードレールの先端部に取付けたことを特徴とする商品陳列器具。
【考案の詳細な説明】
【技術分野】
【０００１】
本考案は、商品陳列フック用カードホルダーのカード保持具を上下揺動可能とすることで、省スペースかつ商品の出し入れを容易にすることを目的とした、商品陳列フック用カードホルダー及び商品陳列器具に関する。
【背景技術】
【０００２】
従来、カードホルダーは、商品ハンガー（陳列棒など）の先端側に固定され、又は商品ハンガー（又は吊下げレール）と平行に架設したホルダーレールの先端に固定されていた。また、カード表示具の表示角度を調節できるカードホルダーがあった。
【特許文献１】実公６０−６８６３号公報
【特許文献２】特開２００１−１３７０８８号公報
【特許文献３】特開２００２−２７８４６３号公報
【考案の開示】
【考案が解決しようとする課題】
【０００３】
商品陳列フック用カードホルダーのカード保持具は、価格や情報等を記載するために一定の大きさが必要なところ、従来、カード保持具は固定されているため、カード保持具の下端を商品ハンガーに近づければ、商品の出し入れがやりにくくなる一方、カード保持具の下端を商品ハンガーから遠ざけたり、又は商品ハンガーとホルダーレールの幅を広くしたりすると、商品の出し入れは容易となるが、カード保持具の上端が出っ張り、又は商品陳列フック全体が大きくなり、１つの商品陳列フックのためのスペースを多くとるという問題点があった。
【０００４】
また、カード保持具の表示角度を調節できるカードホルダー（例えば、特許文献３参照）があるが、カードホルダーに力を加えていない時にはカード表示具が取付け当初の状態に戻るようにする考案がなかった。
【課題を解決するための手段】
【０００５】
本考案の商品陳列フック用カードホルダー及び商品陳列器具は、カードレールに取付けるための支持具に、該支持具の下辺より下端を突出させたカード保持具を弾性部材を用いて上下揺動可能に取付けたので、カード保持具を前上方向に動かすことができるため、カード保持具の下端を商品ハンガーに近づけて取付けてあっても、商品の出し入れが容易なカードホルダー及び商品陳列器具である。また、商品陳列器具の全高さを制限しても、商品陳列スペースを充分とれるカードホルダー及び商品陳列器具である。
【０００６】
さらに、本考案の商品陳列フック用カードホルダー及び商品陳列器具は、前記支持具に弾性部材を用いて前記カード保持具を取付けたことで、カード保持具に力を加えていない時には、カード表示具が取付け当初の状態に戻るカードホルダー及び商品陳列器具である。
【考案の効果】
【０００７】
本考案の請求項１又は２記載の商品陳列フック用カードホルダーによれば、支持具を弾性部材で取付けたのでカード保持具を前上方向に動かすことができるため、カード保持具の下端を商品ハンガーに近づけて取付けてあっても（全高さを比較的低くする）、商品の出し入れが容易なカードホルダーを提供できる。即ち、商品又は商品を取付けた吊下げ具を取り出す時には、カード保持具を前上方向に動かすだけで、商品又は商品を取付けた吊下げ具を容易に取り出すことができる。また、商品を補充等のためにセットする時にも、カード保持具を前上方向に動かせば、容易にセットすることができる。さらに、カード保持具を取付けた全高さを比較的小さくできると共に、商品の脱抜阻止をもする。
【０００８】
そして、カードレールに取付けるための支持具に弾性部材を用いてカード保持具を取付けたことで、カード保持具に力を加えていない時には、カード保持具が取付け当初の状態に戻るカードホルダーを提供できる。
【０００９】
本考案の請求項２記載の商品陳列フック用カードホルダーによれば、カード保持具を、弾性部材に取付けられたベース板と透明カバーとを組み合わせて構成することで、同一成型が困難な場合（材質の相違）でもボックス状のカード保持具を確実につくることができるカードホルダーを提供できる。
【００１０】
本考案の請求項３記載の商品陳列器具によれば、請求項１又は２記載のカードホルダーを商品陳列フック用カードレールの先端部に取付けることで、カード保持具を前上方向に動かすことができるため、カード保持具の下端を商品ハンガーに近づけて取付けてあっても（全高さを比較的低くする）、商品の出し入れが容易な商品陳列器具を提供できる。また、カード保持具の下端を商品ハンガーに近づけることができるため、カード保持具を取付けた全高さを制限できると共に、商品の脱抜阻止もできる。
【００１１】
そして、カードレールに取付けるための支持具に弾性部材を用いてカード保持具を取付けたことで、カード保持具に力を加えていない時には、カード保持具が取付け当初の状態に戻る商品陳列器具を提供できる。
【考案を実施するための最良の形態】
【００１２】
商品陳列フック用カードレールの先端部に取付けるカードホルダーにおいて、該カードホルダーは、一端を前記カードレールに取付けるための支持具とし、他端に該支持具の下辺より下端を突出させたカード保持具を、弾性部材を用いて前記支持具に上下揺動可能に取付けたことを特徴とする商品陳列フック用カードホルダーである。
【００１３】
また、上記商品陳列フック用カードホルダーを具備した商品陳列器具である。
【実施例１】
【００１４】
本考案の実施例を図１及び図２について説明すれば、当該商品陳列器具１０は、カードレール１の先端部にカードホルダー２０を取付けて構成されたものである。前記カードホルダー２０は、一端部に前記カードレール１の先端部を挿入掛止する掛止孔３ａを設けて支持具３とし、他端部に弾性部材４を用いて支持具３の下辺より下端を突出させたカード保持具５を上下揺動可能に取付ける。前記支持具３は図２図示の通り、左右両面を平面とし、上面の前方側を突出させ、下面及び前面を開口させた中空方形状である。また、前記カード保持具５は、中にカード６を収容すべく中空状としてあり、カード保持具５の上方開口部により挿入する。そして、カード保持具５の上端は支持具３の上辺より突出しているが、カードの大きさにより適宜決める。
【００１５】
前記実施例において、カード保持具５の下端が商品レール２の先端付近まで突出していても、図１（ｂ）に示す通り、商品吊下げ具７を取り出すときは、カード保持具５を前上方向に動かすだけで、商品吊下げ具７を容易に取り出すことができる。また、商品補充等のために商品吊下げ具７をセットする時にも、カード保持具を前上方向に動かせば、容易にセットすることができる。さらに、商品陳列器具１０の全高さを制限しても、商品陳列スペースを充分とれることが認められた。
【００１６】
一方、商品吊下げ具７の出し入れをしていない時は、図１（ａ）図示のように、カード保持具５は取付当初の状態に戻るので、商品を取り出すたびに、カード保持具を元に戻さなければならない手間が省ける。
【実施例２】
【００１７】
本考案の他の実施例を図３及び図５について説明すれば、当該カードホルダー３０は、一端部に前記カードレール１の先端部を挿入掛止する掛止孔３ａを設けて支持具３とし、他端部に弾性部材４を用いて支持具３の下辺より下端を突出させたベース板８を上下揺動可能に取付けたものと、ベース板８の縁部に設けた凹部８ａ８ａに取付けるためのツメ９ａを有する透明カバー９とを組み合わせて構成してある。前記支持具３は左右両面を平面とし、上面の前方側を突出させ、下面及び前面を開口させた中空方形である。また、図５（ａ）図示の通り、ベース板８と透明カバー９の組み合わせによるカード保持具１３は上側に開口しているため、該保持具１３の上辺からカード６を挿入することを想定している。また、前記実施例では、ベース板８の上端は支持具３の上辺より突出しているが、弾性部材４をベース板８の背面上部に固着することで、ベース板８の上端を支持具３の上辺と同じ高さにしても良い。
【００１８】
前記実施例において、前記支持具３、ベース板８及び弾性部材４は、弾性素材を用いて同一成型とし、透明カバー９と組み合わせることで、同一成型が困難な場合でもボックス状のカード保持具を有するカードホルダーを作成することが出来る。
【００１９】
また、前記実施例のカードホルダー３０をカードレールの先端部に取付けた商品陳列器具とすることで、実施例１と同様の効果を得ることが出来る。
【実施例３】
【００２０】
本考案の他の実施例を図４について説明すれば、当該カードホルダー４０は、一端部に前記カードレール１の先端部を挿入掛止する掛止孔３ａを設けて支持具３とし、他端部に弾性部材４を用いてベース板８ｂを取付けるための差込板１１を上下揺動可能に取付けたものと、前記ベース板８ｂの背面に差込板１１を左又は右から挿入できることで取付けるための差込箇所８ｃを有するベース板８ｂと、ベース板８ｂの縁部に設けた凹部８ａ８ａに取付けるためのツメ９ａを有する透明カバー９とを組み合わせて構成してある。前記支持具３は左右両面を平面とし、上面の前方側を突出させ、下面及び前面を開口させた中空方形である。
【００２１】
前記実施例によれば、実施例２記載の効果に加えて、ベース板８ｂと透明カバー９の組み合わせによるカード保持具１２が、支持具３と着脱容易であることから、予め支持具３をカードレールに固着し、カード保持具１２のみを付け替えることもできる。
【図面の簡単な説明】
【００２２】
【図１】（ａ）本考案の商品陳列器具の実施例の側面図、（ｂ）同じく（ａ）のカード表示具を前上方向に押し上げた場合の側面図。
【図２】（ａ）同じくカードホルダーの一部の断面拡大斜視図、（ｂ）同じく一部の断面拡大正面図。
【図３】同じくカードホルダーの他の実施例の一部を分解した斜視図。
【図４】同じくカードホルダーの他の実施例の一部を分解した斜視図。
【図５】（ａ）同じく図３（ａ）の組み立て斜視図、（ｂ）同じく（ａ）のカード表示具を前上方向に押し上げた場合の斜視図。
【符号の説明】
【００２３】
１  カードレール
２  商品レール
３  支持具
３ａ  掛止孔
４  弾性素材
５、１２、１３  カード保持具
６  カード
７  商品吊下げ具
８、８ｂ  ベース板
８ａ  凹部
８ｃ  差込箇所
９  透明カバー
９ａ  ツメ
１１  差込板
１０  商品陳列器具
２０、３０、４０  カードホルダー
【図１】
0003134531.tif 000003
【図２】
0003134531.tif 000004
【図３】
0003134531.tif 000005
【図４】
0003134531.tif 000006
【図５】
0003134531.tif 000007